(57)【要約】可動家具部分（２）のための駆動装置（１）であって、この装置（１）は、カージオイド曲線状のスライドトラック（１２）内を移動可能なラッチ要素（６）を含んでおり、スライドトラック（１２）は、ラッチ要素（６）が可動家具部分（２）の閉動作時に内部で移動する閉部分（４９）と、ラッチ要素（６）がロック位置（ＶＳ）に内部で保持されるラッチ凹部（１３）を有するロック部分（５０）と、ラッチ要素（６）が可動家具部分（２）の開動作時に内部で移動可能な開部分（４５）と、家具部分（２）が開けられたときに、ラッチ要素（６）を開部分（４５）から閉部分（４９）へと移動可動にする第１の接続部分（５１）とを有しており、開部分（４５）と閉部分（４９）との間で、ラッチ凹部（１３）にさらに近接している第２の接続部分（４８）をさらに含んでいることを特徴とする。【選択図】図２３
2015525622.tif 000002
【特許請求の範囲】
【請求項１】
可動家具部分（２）のための駆動装置（１）であって、
当該装置（１）は、
カージオイド曲線状のスライドトラック（１２）内を移動可能なラッチ要素（６）を備え、
前記スライドトラック（１２）は、
前記ラッチ要素（６）が前記可動家具部分（２）の閉動作時に内部で移動する閉部分（４９）と、
前記ラッチ要素（６）がロック位置（ＶＳ）において内部で保持されるラッチ凹部（１３）を有するロック部分（５０）と、
前記ラッチ要素（６）が前記可動家具部分（２）の開動作時に内部で移動可能な開部分（４５）と、
前記家具部分（２）が開けられたときに、前記ラッチ要素（６）を前記開部分（４５）から前記閉部分（４９）へと移動可動にする第１の接続部分（５１）と、
を有し、
前記開部分（４５）と前記閉部分（４９）との間で、前記ラッチ凹部（１３）にさらに近接している第２の接続部分（４８）をさらに有している、
ことを特徴とする駆動装置。
【請求項２】
好適にはフラップ形態である変形要素（２０）が、前記第２の接続部分（２８）と前記閉部分（４９）との間に配置されている、
ことを特徴とする請求項１記載の駆動装置。
【請求項３】
前記開部分（４５）は、前記ラッチ要素（６）を、前記第１の接続部分（５１）と前記第２の接続部分（４８）との間の部分である、前記開部分（４５）の一部（５３）へ、開動作において偏向させる傾斜偏向手段（５２）を有している、
ことを特徴とする請求項１または２記載の駆動装置。
【請求項４】
前記第１の接続部分（５１）と前記第２の接続部分（４８）との間にある前記開部分（４５）の前記部分（５３）での閉方向（ＳＲ）への前記ラッチ要素（６）の移動で、前記ラッチ要素（６）は前記第２の接続部分（４８）へ移動する、
ことを特徴とする請求項３記載の駆動装置。
【請求項５】
前記スライドトラック（１２）は、前記駆動装置（１）のハウジング（４）内に提供されている
ことを特徴とする請求項１から４のいずれか１項に記載の駆動装置。
【請求項６】
前記可動家具部分（２）のための駆出力保存手段（１８）によって作用を受ける駆出要素（３）は、前記ハウジング（４）に対して可動である、
ことを特徴とする請求項５記載の駆動装置。
【請求項７】
前記ラッチ要素（６）は、前記駆出要素（３）に、移動可能に、好適には旋回可能に取り付けられている、
ことを特徴とする請求項６記載の駆動装置。
【請求項８】
家具枠体（１７）、可動家具部分（２）、および請求項１から７のいずれか１項に記載の前記可動家具部分（２）のための駆動装置（１）を備えた家具（１６）。
【発明の詳細な説明】
【技術分野】
【０００１】
本発明は、可動家具部分のための駆動装置に関する。この装置は、カージオイド曲線状のスライドトラック（軌道）内を移動可能なラッチ要素を備え、このスライドトラックは、ラッチ要素が可動家具部分の閉動作時に内部で移動する閉部分と、ラッチ要素がロック位置において内部で保持されるラッチ凹部を有するロック部分と、ラッチ要素が可動家具部分の開動作時に内部で移動可能な開部分と、家具部分が開けられたときに、ラッチ要素を開部分から閉部分へと移動可能にする第１の接続部分とを有している。本発明は、家具枠体、可動家具部分、および可動家具部分のためのそのような駆動装置を含んだ家具にも関する。
【背景技術】
【０００２】
ロック可能な駆出装置の形態である可動家具部分のための駆動装置は、家具付属品産業において長年にわたって既に知られている。この場合には、駆出装置のロック解除は、可動家具部分を閉位置から（押し込むまたは引き出す）動作によって起動され、これによって可動家具部分は自動的に駆出されまたは開けられる。
【０００３】
この点において、カージオイド曲線形態のスライドトラックによるロックは、ロック作用の一般的な種類として確立されている。駆出要素に接続されたラッチ要素はそのスライドトラックのロック部分に保持されており、それによって可動家具部分は閉位置に存在する。可動家具部分を押し込むことで、ラッチ要素もロック部分から外れ、開部分へと移動する。これに到達するとすぐに、駆出力保存手段の応力が解放され、可動家具部分を開方向に駆出させる。この点において、開部分は駆出力保存手段の駆出移動部分とほぼ同じ長さである。駆出力保存手段が完全に脱荷重されるとすぐに、ラッチ要素もスライドトラックの開部分の端部に配置される。この位置から、可動家具部分は自由走行動作で手によってさらに開けられる。
【０００４】
引き込み装置による閉動作または能動的な引き込み動作において、ラッチ要素は開部分を再び通って戻ることはないが、スライドトラックの形態によって、閉位置へとずれる。このため、開部分と閉部分との間に移行領域が提供されている。この移行領域は接続部分と称することもできる。一般的に使用されている駆動装置では、開部分は、ラッチ凹部と第１の接続部分との間で、約３ｃｍから約２０ｃｍの間の長さのものである。しかしながら、この移動距離は個別に調節でき、可動家具部分の大きさやその他のパラメータに左右される。
【０００５】
ラッチ凹部におけるラッチ要素の確実なロックを回復させるため、ラッチ要素または制御突起部は、優先権を有する、カージオイド曲線状スライドトラックを備えた知られた駆動装置（例：オーストリア特許出願Ａ６１４／２０１１）における閉部分を通して移動されなければならない。しかしながら、駆出動作が、例えば駆出動作中にまだ停止している可動家具部分によるなど、不正確な操作によって妨害されると、ラッチ要素は開部分に留まる。人が可動家具部分を再び閉じようとすると、スライドトラックの形態によって、ラッチ要素が開部分からロック部分へと移動できないため、ラッチ凹部でのラッチ要素のロックはもはや不可能である。ラッチ要素が第１の接続部分に到達し、家具部分が再び閉じられるときに、ラッチ要素が閉部分に移動するまで、人が可動家具部分を開方向に移動させる場合にのみ、確実なロックが可能であろう。
【発明の概要】
【発明が解決しようとする課題】
【０００６】
したがって本発明の目的は、従来技術に勝る改良された駆動装置の提供である。特に本発明は、不正確な操作の場合に、駆出プロセスが妨害されたときでも、ロック部分でのラッチ要素のロックを、簡単な方法で可能とすることを目的としている。
【課題を解決するための手段】
【０００７】
この目的は、請求項１の特徴を有する駆動装置によって達成される。したがって本発明によれば、開部分と閉部分との間で、ラッチ凹部にさらに近接した第２の接続部分が提供されている。
【０００８】
換言すれば、ラッチ要素の不正確な操作時に、カージオイド曲線状のスライドトラック全体に沿って移動する必要がなく、カージオイド曲線状のスライドトラックの“ハート形”部分を通る、第２の接続部分の形状のショートカット部が存在する。
【０００９】
閉部分から第２の接続部分へのラッチ要素の不都合な進入を防止するため、好適にはフラップ形態の変形要素が、第２の接続部分と閉部分との間に配置されていることが好ましい。この変形要素は好適にはバネ荷重されており、変形要素は、第２の接続部分から接近するラッチ要素が変形要素と遭遇するときにのみ移動する。
【００１０】
第２の接続部分へのラッチ要素の偏向を保証するため、好適には、開部分は、ラッチ要素を、第１の接続部分と第２の接続部分との間の部分である開部分の一部へ、開動作において偏向させる傾斜偏向手段を有している。この偏向は、第１の接続部分と第２の接続部分との間にある開部分のその部分で閉方向にラッチ要素が移動することを保証する。
【００１１】
さらに好適な実施態様では、スライドトラックが駆動装置のハウジング（筺体）内に提供されており、可動家具部分のための駆出力保存手段によって作用を受ける駆出要素は、ハウジングに対して可動である。スライドトラック内でのラッチ要素の動作を可能にするため、ラッチ要素は駆出要素に、移動可能に、好適には旋回可能に取り付けられていることが好適である。
【００１２】
特許保護は、家具枠体と、可動家具部分と、可動家具部分のための本発明による駆動装置とを含んだ家具にも請求される。駆動装置のそれぞれの形態に応じて、駆動装置を、家具枠体に配置することができ、可動家具部分を能動的に駆出するか、または可動家具部分に配置することで、駆動装置は家具枠体から駆出される。
【００１３】
本発明のさらなる詳細と利点は、図面で解説する実施例による具体例に関する詳細な説明によって以降でさらに詳説される。
【図面の簡単な説明】
【００１４】
【図１−４】図１から図４は、駆動装置の、多様な位置における可動家具部分を概略的に示している。
【図５−６】図５と図６は、駆動装置の分解図である。
【図７−１２】図７から図１２は、駆動装置の内部を示す多様な斜視図である。
【図１３−１９】図１３から図１９は、オーバプレス（押込み）による閉動作およびロック解除に関与する動作を示している。
【図２０−２２】図２０から図２２は、引き出し動作によるロック解除に関与する動作を示している。
【図２３】図２３は、ラッチ要素の多様な位置のカージオイド曲線状のスライドトラックを概略的に示している。
【図２４−３２】図２４から図３２は、スライドトラック内の多様な位置でのラッチ要素の詳細斜視図である。
【発明を実施するための形態】
【００１５】
図１は、家具枠体１７と、前部に前面パネル２１が取り付けられた可動家具部２と、を備えた家具１６を概略的に示す。可動家具部２は引出しレール２２によって、可能には中央レール（図示せず）にもよって、枠体レール２３に可動に取り付けられている。この概略図では、枠体レール２３は同時に駆動装置１のハウジング４も形成する。この図１では、駆動装置１の全体が家具枠体１７と関係しており、同伴部材９だけが可動家具部２と共に動く。原理的には、この構造は正確に反転が可能であり、駆動装置１が可動家具部２と関係し、同伴部材９が家具枠体に関して固定式に配置されるようにすることも可能である。可動家具部２の位置、特に同伴部材９の位置は、検出装置７によって検出され、この場合には図において円で示されている伝達スライド１４によってロック要素５に伝達される。伝達スライド１４と検出装置７とは、可能には別の部材と共に、検出装置７で検出された可動家具部２の位置をロック要素５に伝達する伝達装置８を形成する。駆出要素３（駆出スライド３とも呼称可能）はハウジング４に可動に取り付けられ、駆出力保存手段１８によって開方向ＯＲに作用を受ける。開方向ＯＲの駆出要素３の移動がロック要素５によって阻止されるので、可動家具部２は開方向ＯＲに駆出されることができず、可動家具部２は閉位置ＳＳに残る。
【００１６】
図２で示すように、可動家具部２が閉方向ＳＲに加圧されたら、ロック要素５は伝達装置８によって移動され、駆出要素３の駆出経路には障害がなくなる。閉方向ＳＲのオーバプレスの場合には、ロック要素５は図１から図４および図２３から図２９で示すように必ずしも動かなくても構わない。可動家具部２の位置は、検出装置７によって駆出要素３に配置された駆出要素６に直接的に伝達でき、それは図５から図２２で示すようにカージオイド曲線形状のスライドトラック１２のラッチ凹部１３からスライドトラック１２の開口部分４５内へと移動する。オーバプレス位置ＵＳにはそのオーバプレス動作によって到達される。
【００１７】
比較として、図３は、可動家具部２を開方向ＯＲに引っ張ることによりロック解除される駆動装置１を図示する。その開動作も検出装置７によって検出され、ラッチ要素６とは別の伝達装置８によってロック要素５はハウジング４に対して移動し、駆出要素３の駆出経路の障害を排除する。これで閉部分ＳＳの直前の引張位置ＺＳに到達される。
【００１８】
図４では、駆出要素３は、押し込み（図２参照）または引っ張り（図３参照）によるロック解除後に、応力が解放されている駆出力保存手段１８によって可動家具部２を開方向ＯＲに駆出しており、開位置ＯＳに到達されている。駆出によって、同伴部材９は検出装置７から係合を解く。それは旋回して離れる検出装置７のキャッチレバー３７によって実施される。
【００１９】
駆動装置１を例示する特定実施例の分解図が図５と図６で示されている。この場合には、ハウジング基部プレート２４、ハウジング中央プレート２６およびハウジングカバー２５は共同でハウジング４を形成し、ハウジング４は、好適にはハウジング基部プレート２４によって引出しレール２２に取り付けられている。閉位置ＳＳで、家具枠体１７に対する可動家具部２の位置を変化させるために、ハウジング中央プレート２６は、家具部、ハウジング基部プレート２４、およびハウジングカバー２５に対して固定された部材に対して移動できる。この場合、正確なセッティングは、調節手段２８と、ハウジング中央プレート２６の上の調節スタッドとによって可能である。可動家具部２の引込動作を緩衝するための緩衝装置２７もハウジング中央プレート２６に接続される。その緩衝装置２７の個別の部材は詳細には説明されていない。
【００２０】
内部をラッチ要素６が移動するスライドトラック１２はハウジング中央プレート２６内、よってハウジング４内に設置されている。ラッチ要素は駆出装置３の取り付け位置４２にて一端で旋回可能に保持される。駆出要素３はハウジング中央プレート２６に対してアバットメント間で可動である。駆出力保存手段１８（引張スプリング）のスプリング基部は駆出要素３の上に設置されている。駆出力保存手段１８の他端はスプリング基部３２に保持されている。そのスプリング基部３２はハウジング基部プレート２４に固定的に接続されたバネ応力要素３０に配置されている。バネ応力はハウジング基部プレート２４へのバネ応力要素３０の固定位置に応じて調節できる。ハウジング基部プレート２４の上に配置されたバネ応力要素３０は、調節要素３１によってハウジング基部プレート２４に対して可動であり、よって、駆出力保存手段１８のバネ応力が調節できる。
【００２１】
引込力保存手段１９（引張スプリング）のスプリング基部３５も駆出要素３の上に配置され、引込力保存手段は他端で引込スライド１５のスプリング基部３４に固定されている。その引込スライド１５（引込装置１５とも呼称可能）はアバットメントにより制限的に可動に駆出スライド３に取り付けられている。引込スライド１５の一端にはキャッチレバー３７の回転軸３８が配置されている。同伴部材９は検出装置７の一部であるキャッチレバー３７によって保持される。同伴部材９は枠体レール２３（図示せず）に取り付けられた取付プレート３６に固定的に接続されている。緩衝アバットメント４０も引込スライド１５の端部に提供され、引込スライド１５と同伴部材９との間の接触が発生しても大きな衝突音は発生せず、部材は優しく扱われる。
【００２２】
ハウジング中央プレート２６に可動に取り付けられた伝達スライド１４は、可動家具部を引っ張ると発生する、駆出スライド３の走行制御されたトリガー作用またはロック作用の走行制御された無効化作用のために提供されている。その一端で、伝達スライド１４は、部分的にスライドトラック１２のラッチ凹部１３を形成するロック要素５を有する。オーバプレス効果のために共にスライドトラック１２を形成する傾斜変形（変位）手段４３も、その伝達スライド１４の上に配置されている。弾性連結要素１０は伝達スライド１４の前端に保持され、連結要素１０は引込スライド１５の上に配置された接続要素１１に対応する。伝達スライド１４の上には、変形要素２０も配置されており、それによって、完全ではない駆出移動の際にはラッチ要素６を閉位置ＳＳに戻すことができる。ハウジング中央プレート２６に弾性的に取り付けられているスライダ３９は、特に引出しが、小さ過ぎるエネルギーで閉じられ、ロック作用が発生する前に再び駆出されるとき、ラッチ要素６がスライドトラック１２の不都合な部分にまで通過しないようにする。そのような移動の際にはスライダ３９は閉じたままである。
【００２３】
図７は、ハウジングカバー２５が外されている組み立て状態の駆動装置１を示す。緩衝装置２７はハウジング中央プレート２６内で挟持されている。駆出力保存装置１８は、一方がハウジング基部プレート２４またはバネ応力要素３０に固定され、他方が駆出スライド３に固定されている。引込スライド１５と、そこに固定されているキャッチレバー３７も部分的に図示されている。伝達スライド１４の大部分もハウジング中央プレート２６を通って図示されている。
【００２４】
図７とは異なりハウジング中央プレート２６は図８では省略されているため、駆出スライド３と引込スライド５はさらに明瞭に示されている。
【００２５】
ラッチ要素６は引込スライド１５の端部に当接しており、これはラッチ要素アバットメント４１により形成されている。スライドトラック１２内をガイドされているのでラッチ要素６はその位置から逃れられない。
【００２６】
スライドトラック１２は図９において駆動装置１の主要部で図示されており、そこではハウジング基部プレート２４のみが省略されている。引張スプリングの形態の引込力保存手段１９は、この場合にはスプリング基部３４と３５との間に保持されている。駆出力保存手段１８はスプリング基部３２と３３との間に保持されている。キャッチレバー３７は開位置にて示され、同伴部材９は既に引込スライド１５のアバットメント４０に当接している。
【００２７】
ラッチ要素６に関してさらに明示するため、図９とは異なり図１０では駆出スライド３の一部は除かれている。その結果、ラッチ要素６はスライドトラック１２およびラッチ要素アバットメント４１に当接している。ラッチ要素６のこの第１の連結位置Ｋ１において、ラッチ要素６に当接するラッチ要素アバットメント４１のおかげで引込スライド１５が駆出スライド３に対してさらに左側に移動できないので、引込スライド１５は駆出スライド３に連結される。その結果、引込力保存手段１９は応力を解放できない。
【００２８】
一方、図１１では、引込スライド１５のための経路が駆出スライド３に対して開放されている第２連結位置Ｋ２にラッチ要素６が到達しているので、引込力保存手段１９は弛緩している。
【００２９】
それに合わせて、図１２では引込スライド１５は部分的に除かれており、ラッチ凹部１３内またはラッチ凹部１３上で保持されているラッチ要素６が明示されている。
【００３０】
図１３では、駆動装置１および可動家具部２は開位置ＯＳに配置されている。図１０と同様に、ラッチ要素６は引込スライド１５のラッチ要素アバットメント４１に当接しており、ハウジング中央プレート２６内に配置されたスライドトラック１２内をガイドされる。駆出スライド３の全体は第１移動部分Ｂ１内に配置されており、ラッチ要素６は第１連結位置Ｋ１内に配置されている。同伴部材９への接続はキャッチレバー３７による引込スライド１５の他端で見られる。ハウジング中央プレート２６によって部分的に遮蔽されている伝達スライド１４はハウジング中央プレート２６に対して可動である。伝達スライド１４はスライドトラック１２の一部も形成する。よって、例えば、伝達スライドは、ロック要素５と、ラッチ要素６のための傾斜変形手段４３と、接続要素１１のための傾斜ガイド手段４７と、を有する。さらに、接続要素１１に対応できる連結要素１０が旋回式に伝達スライド１４に取り付けられている。
【００３１】
可動家具部２が図１３の閉方向ＳＲにさらに移動すると、ラッチ要素６は、変形要素２０によって部分的に形成されているスライドトラック１２に沿って、第１連結位置Ｋ１を維持しながら移動する。スライドトラック１２の直線閉部分の端部、すなわち第１移動部分Ｂ１の端部には図１４において到達される。
【００３２】
可動家具部２が、図１４の位置から図１５で示す位置にさらに移動するとすぐに、ラッチ要素６は引込スライド１５のラッチ要素アバットメント４１によってスライドトラック１２のラッチ凹部内に押し込まれる。その結果、引込スライド１５は駆出スライド３から連結が解かれ、同時に駆出スライド３はハウジング４にロックされ、第２連結位置Ｋ２が到達される。よって、２つの連結操作がラッチ要素６のその１動作で実行される。
【００３３】
可動家具部は、引込力保存手段１９の応力解放によって図１５の開位置ＯＳから図１６の閉位置ＳＳまで移動すなわち引き込まれる。接続要素１１が、その引き込み移動の終了直前に伝達スライド１４の連結要素１０と当接するとすぐに、伝達スライドの全体が左側のハウジング中央プレート２６のアバットメント側に移動する。その後、接続要素１１は閉方向ＳＲで連結要素１０を越える。伝達スライド１４の左側へのその移動で、そのロック要素５も左へ移動し、ハウジング４上（詳細にはハウジング中央プレート内）に提供されたスライドトラック１２の一部と共にハウジング４のラッチ要素６のための実際のラッチ凹部１３を形成する。よって、ラッチ要素は、図１５と比べて少々ずれていても第２の連結位置Ｋ２に留まる。これでスライドトラック１２がカージオイド形状に関係することが図１６で明瞭に図示されている。
【００３４】
もし圧力がその閉位置ＳＳ（図１７参照）において閉方向ＳＲに可動家具部２に適用されたら、引込スライド１５も閉方向ＳＲにさらに移動する。その引込スライド１５がその閉位置ＳＳにおいて駆出スライド３で端部アバットメントに到達すると、駆出スライド３は、そこに旋回式に取り付けられたラッチ要素６と共に閉方向ＳＲにも移動される。その結果、ラッチ要素６は図１７で示すように、ラッチ要素が傾斜変形手段４３に当接するまでラッチ凹部１３から外れるように動く。よってオーバプレス位置ＵＳは到達される。同時に、接続要素１１も傾斜ガイド手段４７によって変形される。
【００３５】
傾斜変形手段４３（図１８参照）での変形によって、ラッチ要素６はさらに、伝達スライド１４に提供され、スライドトラック１２の一部を形成する凹部４４をスライドトラック１２の開口部分４５の方向に通過する。
【００３６】
開口部分４５が到達されるとすぐに、駆出要素３はロック解除され、駆出力保存手段１８は応力解除され、可動家具部２は開方向ＯＲに駆出され、開位置ＯＳ（図１９参照）にまで通過する。この駆出動作において、伝達スライド１４は、開方向ＯＲに一定距離、接触状態に到達するまで連結要素１０を介して接続要素１１により再び移動され、伝達スライド１４の当初位置が回復される。もし始動直後に開方向移動が既に妨害されているようにするなら、再閉鎖によって、ラッチ要素６は第２の接続部分４８を通って移動でき、離れる方向に付勢されるフラップ形態である変形要素２０によってラッチ要素６はスライドトラック１２の閉じている部分に再び通過する。
【００３７】
図２０は閉位置ＳＳを示しており、そこでラッチ要素６は第２の連結位置Ｋ２に存在する。その図２０は図１６の図に対応する。
【００３８】
その閉位置ＳＳから可動家具部２に圧力が加えられず、引張力が可動家具部２に加えられるなら、その動作はキャッチレバー３７と引込スライド１５とで形成される検出装置７によって検出される。その結果、引込スライド１５と、それと共に接続要素１１は右側に、連結要素１０に当接するまで同伴して移動する。図２１で示すように連結要素１０がそのように同伴されるため、伝達スライド１４の全体も移動し、ロック要素５はラッチ凹部１３の一部を形成することがなくなる。このように、ラッチ要素６の通路はロック要素５によっては妨害されなくなり、スライドトラック１２の開口部分４５への通路には障害物はなくなる。従って、引張動作の伝達はラッチ要素６には直接及ばず、いわゆるラッチアバットメント（ロック要素５）がラッチ要素６から引き離され、ロック位置または第２の連結位置Ｋ２は無効化される。
【００３９】
さらに、図２２で示すように、駆出力保存手段１８は再び応力解除され、駆出スライド３およびそこに保持された引込スライド１５によって可動家具部を開方向ＯＲに移動させる。駆出力保存手段１８が完全に弛緩したらすぐに、引込力保存手段１９には可動家具部２のさらなる運動量が荷重されるか、引込スライド１５と駆出スライド３との間の第１の連結位置Ｋ１が再び得られるまで可動家具部２を開方向ＯＲに積極的に引っ張ることで荷重される。可動家具部２の閉鎖によって、追加の結果として駆出力保存手段１８は、ロック位置または第２の連結位置Ｋ２が到達される前に応力を受ける。それは実質的に、図１３と図１４で示す位置間にある第１の移動部分Ｂ１に対応する。
【００４０】
図２３は、内部でラッチ要素６が可動家具部分２の開閉時に移動する、カージオイド形状またはカージオイド状（カージオイド類似）のスライドトラック１２を概略的に示している。図２３はラッチ要素６の１０箇所の異なる位置を示しており、ラッチ要素６のそれぞれの位置はローマ数字によって示されている。
【００４１】
閉動作すなわち引き込み動作の始まりの後に、ラッチ要素６は閉部分４９内の位置Ｉに配置される。この閉部分４９を通る閉方向ＳＲへのラッチ要素６のこの動作の間、操作が駆出力保存手段１８のバネ力Ｆと反対方向であるため、駆出力保存手段１８（ここでは図示せず）は応力印加される。閉部分４９の端部の少し手前で、ラッチ要素６が、第２の接続部分４８を画定する変形要素２０を通過し、開部分１９の端部の位置ＩＩに移動される。速すぎる閉動作の場合には、ラッチ要素６は、任意の所望の長さを有するオーバーラントラック５４内に偏向することができる。
【００４２】
スライドトラック１２の形態、または移動距離制御のいずれかによって、ラッチ要素６は開部分４９の端部のロック部分５０に移動する。この部分で、可動家具部分２に圧力がもはや印加されない場合、駆出力保存手段１８は応力から解放されることができる。しかしながら、この位置ＩＩでのラッチ要素６は閉部分４９にこれ以上移動できないため、ラッチ要素６は、スライドトラック１２の形態によって、ラッチ凹部１３（位置ＩＩＩ参照）内に偏向し、そこで、応力印加されている駆出力保存手段１８と共にロックされる。
【００４３】
可動家具部分２に、閉方向ＳＲに圧力が適用されたら、ラッチ要素６が位置ＩＩＩから位置ＩＶへと移動し、そこで開位置４５の方向に傾斜偏向手段４３にて偏向する。強力なオーバプレス動作の場合には、ラッチ要素６は、任意の所望の長さを有するオーバーラントラック５５内にも偏向することがある。位置ＩＶにて、可動家具部分２に、閉方向ＳＲにこれ以上圧力が適用されない場合には、駆出力保存手段１８は応力から解放されることができ、ラッチ要素６は開部分４５へと曲線形態に対応して移動する。通常の（妨害されていない）駆出動作の場合には、ラッチ要素６は位置Ｖから位置ＶＩ介して位置ＶＩＩに移動する。位置ＶＩＩにおいて、ラッチ要素は、開部分４５と閉部分４９との間の第１の接続部分５１に配置されている。強力な駆出動作の場合には、ラッチ要素６はオーバーラントラック５６にまで移動できる。閉動作において、ラッチ要素６は、曲線形態によって再び閉部分４９に移動し、位置Ｉに再び戻る。
【００４４】
しかしながら、不正確な操作のために、可動家具部分２の駆出動作が妨害されると、ラッチ要素６は先ず開部分４５のどこかに留まり、例えばこれが位置Ｖで起きた場合、ラッチ要素６はラッチ凹部１３にもはや戻ることができない。しかしながら、ラッチ要素６が、傾斜偏向手段５２によって開位置４５の前方部分５３（例えば位置ＶＩ）に到達するとすぐに、人によって起動される可動家具部分２の閉動作の場合には、ラッチ要素６は第２の接続部分４８に偏向し、位置ＶＩＩＩに到達する。さらなる閉動作によって、ラッチ要素６は位置ＶＩＩＩから、第２の接続部分４８を通って、ラッチ要素６がフラップ形態の変形要素２０を圧迫する位置ＩＸに移動し、変形要素２０を破線で示す位置に移動させることができる。この結果、ラッチ要素６が閉部分４９に再び移動し、位置Ｘに到達する。さらなる閉動作時に、ラッチ要素６は位置ＩＩに再び移動し、その結果、位置ＩＩＩにてラッチ凹部１３でロックされる。
【００４５】
図２４は、特定実施例のハウジング４内に提供されたスライドトラック１２を示している。開位置４５の部分５３の端部には接続部分５１が配置され、接続部分５１によって開部分４５は閉部分４９に接続されている。さらに、変形要素２０によって閉部分４９にまで画定される第２の接続部分４８が示されている。
【００４６】
図２５は、駆出要素３（ここでは図示せず）に旋回可能に取り付けられており、閉部分４９にあるラッチ要素６をさらに示している。この位置は、図２３で示す位置Ｉに対応している。
【００４７】
閉方向ＳＲへのさらなる移動時に、ラッチ要素６は、図２６に示す位置に移動する。この結果、ラッチ要素はロック部分５０に移動する。ラッチ要素６のこの位置は、図２３に示す位置ＩＩにほぼ対応している。
【００４８】
図２７では、ラッチ要素６はロック部分５０のロック位置ＶＳに存在している。開方向ＯＲへの移動はロック要素５によって妨害されている。ラッチ要素６のこの位置は、図２３の位置ＩＩＩに対応している。
【００４９】
（押し込みまたは引き出しによる）ロック解除の後で、ラッチ要素６は開部分４５に移動する。図２８に示すラッチ要素６の位置は、図２３に示す位置Ｖにほぼ対応している。
【００５０】
不正確な操作の場合、または駆出動作が妨害されたとき、ラッチ要素６は、閉方向ＳＲへの可動家具部分２の移動によって第２の接続部分４８（図２９参照）に移動する。ラッチ要素６のこの位置は、図２３に示す位置ＶＩＩＩにほぼ対応している。
【００５１】
第２の接続部分４８の端部にて、ラッチ要素は変形要素２０（図３０参照）を圧迫し、閉部分４９へ移動する。ラッチ要素６のこの位置は、図２３に示す位置Ｘにほぼ対応している。
【００５２】
不正確な操作が関与していない場合には、ラッチ要素は、図３１に示すように、開部分４５の部分５３と第１の接続部分５１とによって、閉部分４９へと再び移動する。図３１に示すこの位置は、図２３に示す位置ＶＩにほぼ対応している。
【００５３】
採用された経路（第１の接続部分５１または第２の接続部分４８）とは無関係に、ラッチ要素６は、閉動作の終了時にロック部分５０へ再び移動し、図３２に示すラッチ凹部１３内でロックする。図３２でのラッチ要素６の位置は、図２３の位置ＩＩＩに対応している。
【００５４】
このように本発明は、駆動装置１の改良されたカージオイド状（カージオイド類似）スライドトラック１２を提供し、そこでは、開部分４５と閉部分４９との間の接続部分５１のほかに、スライドトラック１２の一部として、ハウジング４内で、開部分４５と閉部分４９との間に第２の接続部分４８の形態のショートカットも存在している。
【図１】
2015525622.tif 000003
【図２】
2015525622.tif 000004
【図３】
2015525622.tif 000005
【図４】
2015525622.tif 000006
【図５】
2015525622.tif 000007
【図６】
2015525622.tif 000008
【図７】
2015525622.tif 000009
【図８】
2015525622.tif 000010
【図９】
2015525622.tif 000011
【図１０】
2015525622.tif 000012
【図１１】
2015525622.tif 000013
【図１２】
2015525622.tif 000014
【図１３】
2015525622.tif 000015
【図１４】
2015525622.tif 000016
【図１５】
2015525622.tif 000017
【図１６】
2015525622.tif 000018
【図１７】
2015525622.tif 000019
【図１８】
2015525622.tif 000020
【図１９】
2015525622.tif 000021
【図２０】
2015525622.tif 000022
【図２１】
2015525622.tif 000023
【図２２】
2015525622.tif 000024
【図２３】
2015525622.tif 000025
【図２４】
2015525622.tif 000026
【図２５】
2015525622.tif 000027
【図２６】
2015525622.tif 000028
【図２７】
2015525622.tif 000029
【図２８】
2015525622.tif 000030
【図２９】
2015525622.tif 000031
【図３０】
2015525622.tif 000032
【図３１】
2015525622.tif 000033
【図３２】
2015525622.tif 000034
【国際調査報告】
2015525622.tif 000035
2015525622.tif 000036
2015525622.tif 000037
2015525622.tif 000038